(57)【要約】【課題】電波予報サービスを行う際に予報データの効率を向上させることを図る。【解決手段】予報対象位置、予報対象時刻、及び、移動端末の現在地から予報対象位置までの距離又は移動端末の移動速度を入力する入力部１２と、移動端末の現在地から予報対象位置までの距離又は移動端末の移動速度に応じて、予報対象位置を含む予報データ提供区域内の電波混雑度予報データのうち予報対象時刻から一定期間先までの電波混雑度予報データを統合する際の予報単位区域又は予報単位時間の統合数を変更する電波混雑度提供データ生成部１３と、を備える。【選択図】図２
2012208581.tif 000002
【特許請求の範囲】
【請求項１】
予報単位区域ごとに予報単位時間の間隔で電波混雑度予報データを格納するデータベースを利用して移動端末に電波混雑度予報データを提供する電波予報装置であり、
予報対象位置、予報対象時刻、及び、前記移動端末の現在地から前記予報対象位置までの距離又は前記移動端末の移動速度を入力する入力部と、
前記移動端末の現在地から予報対象位置までの距離又は前記移動端末の移動速度に応じて、前記予報対象位置を含む予報データ提供区域内の電波混雑度予報データのうち前記予報対象時刻から一定期間先までの電波混雑度予報データを統合する際の予報単位区域又は予報単位時間の統合数を変更する電波混雑度提供データ生成部と、
を備えたことを特徴とする電波予報装置。
【請求項２】
前記電波混雑度提供データ生成部は、前記移動端末の現在地から予報対象位置までの距離が、長いほど前記統合する予報単位区域又は予報単位時間の数を多くし、短いほど前記統合する予報単位区域又は予報単位時間の数を少なくする、
ことを特徴とする請求項１に記載の電波予報装置。
【請求項３】
前記電波混雑度提供データ生成部は、前記移動端末の移動速度が、遅いほど前記統合する予報単位区域又は予報単位時間の数を多くし、速いほど前記統合する予報単位区域又は予報単位時間の数を少なくする、
ことを特徴とする請求項１又は２に記載の電波予報装置。
【請求項４】
前記電波混雑度提供データ生成部は、前記統合する予報単位区域又は予報単位時間を対象にして、電波混雑度予報データを平均する、
ことを特徴とする請求項１から３のいずれか１項に記載の電波予報装置。
【請求項５】
予報単位区域ごとに予報単位時間の間隔で電波混雑度予報データを格納するデータベースを利用して移動端末に電波混雑度予報データを提供する電波混雑度予報提供処理を行うためのコンピュータプログラムであって、
予報対象位置、及び、前記移動端末の現在地から前記予報対象位置までの距離又は前記移動端末の移動速度を入力する入力ステップと、
前記移動端末の現在地から予報対象位置までの距離又は前記移動端末の移動速度に応じて、前記予報対象位置を含む予報データ提供区域内の電波混雑度予報データを統合する予報単位区域又は予報単位時間の数を変更する電波混雑度提供データ生成ステップと、
をコンピュータに実行させるためのコンピュータプログラム。
【発明の詳細な説明】
【技術分野】
【０００１】
本発明は、電波予報装置及びコンピュータプログラムに関する。
【背景技術】
【０００２】
ユーザが目的地へ移動する際に、ユーザに対して目的地の状況を事前に知らせる技術が知られている。例えば特許文献１には、娯楽施設において、アトラクションやレストランにおける混雑情報を提供する案内方法および案内システムが記載されている。
【先行技術文献】
【特許文献】
【０００３】
【特許文献１】特開２００６−２４３８２５号公報
【発明の概要】
【発明が解決しようとする課題】
【０００４】
無線通信システムを利用するユーザが目的地へ移動する際に、ユーザが目的地に到着した時に目的地において無線通信システムの電波がどの程度使用されて混雑するかを予報する電波予報サービスを考える。この場合、従来の技術では、以下に示す課題がある。
【０００５】
（１）ユーザが目的地に着いた時、無線通信システムにおいてユーザが利用可能な基地局は複数存在することが想定できる。例えば、広範囲なサービスエリアを提供する基地局と、局所的なサービスエリアを提供する基地局とが混在する区域では、複数の基地局の中から利用する基地局を選択することができる。このため、利用可能な基地局の数が多くなるほど、ユーザに提供する予報データ量は多くなる。又、一般的に電波の使用状況は時間とともに変化するので、予報データを更新する時間間隔が短くなるほど、予報データ量は多くなる。又、駅や繁華街など多数のユーザが利用する場所では、予報データを取得するユーザの数が多いと考えられる。これらことから、予報データをユーザに提供するためのトラフィックが増大して、無線通信システムの伝送帯域を逼迫させる恐れがある。
【０００６】
（２）ユーザが目的地に到着するまでの時間が長くなるほど、前もって提供した予報データとユーザが目的地に到着した時の状況との差が大きくなる可能性が大きい。したがって、常に一定の精度で予報データをユーザに提供していては情報の効率が悪い。
【０００７】
本発明は、このような事情を考慮してなされたもので、電波予報サービスを行う際に予報データの効率を向上させることができる電波予報装置及びコンピュータプログラムを提供することを課題とする。
【課題を解決するための手段】
【０００８】
上記の課題を解決するために、本発明に係る電波予報装置は、予報単位区域ごとに予報単位時間の間隔で電波混雑度予報データを格納するデータベースを利用して移動端末に電波混雑度予報データを提供する電波予報装置であり、予報対象位置、予報対象時刻、及び、前記移動端末の現在地から前記予報対象位置までの距離又は前記移動端末の移動速度を入力する入力部と、前記移動端末の現在地から予報対象位置までの距離又は前記移動端末の移動速度に応じて、前記予報対象位置を含む予報データ提供区域内の電波混雑度予報データのうち前記予報対象時刻から一定期間先までの電波混雑度予報データを統合する際の予報単位区域又は予報単位時間の統合数を変更する電波混雑度提供データ生成部と、を備えたことを特徴とする。
【０００９】
本発明に係る電波予報装置において、前記電波混雑度提供データ生成部は、前記移動端末の現在地から予報対象位置までの距離が、長いほど前記統合する予報単位区域又は予報単位時間の数を多くし、短いほど前記統合する予報単位区域又は予報単位時間の数を少なくする、ことを特徴とする。
【００１０】
本発明に係る電波予報装置において、前記電波混雑度提供データ生成部は、前記移動端末の移動速度が、遅いほど前記統合する予報単位区域又は予報単位時間の数を多くし、速いほど前記統合する予報単位区域又は予報単位時間の数を少なくする、ことを特徴とする。
【００１１】
本発明に係る電波予報装置において、前記電波混雑度提供データ生成部は、前記統合する予報単位区域又は予報単位時間を対象にして、電波混雑度予報データを平均する、ことを特徴とする。
【００１２】
本発明に係るコンピュータプログラムは、予報単位区域ごとに予報単位時間の間隔で電波混雑度予報データを格納するデータベースを利用して移動端末に電波混雑度予報データを提供する電波混雑度予報提供処理を行うためのコンピュータプログラムであって、予報対象位置、及び、前記移動端末の現在地から前記予報対象位置までの距離又は前記移動端末の移動速度を入力する入力ステップと、前記移動端末の現在地から予報対象位置までの距離又は前記移動端末の移動速度に応じて、前記予報対象位置を含む予報データ提供区域内の電波混雑度予報データを統合する予報単位区域又は予報単位時間の数を変更する電波混雑度提供データ生成ステップと、をコンピュータに実行させるためのコンピュータプログラムであることを特徴とする。
これにより、前述の電波予報装置がコンピュータを利用して実現できるようになる。
【発明の効果】
【００１３】
本発明によれば、電波予報サービスを行う際に予報データの効率を向上させることができる。これにより、トラフィックの増大を抑制して、無線通信システムの伝送帯域の逼迫を防ぐ効果が得られる。又、前もって提供した予報データ（電波混雑度提供データ）とユーザが予報対象位置に到着した時の状況との差を小さくする効果が得られる。
【図面の簡単な説明】
【００１４】
【図１】本発明の一実施形態に係る電波予報サービスシステムの概略構成図である。
【図２】図１に示す電波予報サーバ１の構成を示すブロック図である。
【図３】本発明の一実施形態に係る電波混雑度提供データの構成例を示す概念図である。
【発明を実施するための形態】
【００１５】
以下、図面を参照し、本発明の実施形態について説明する。
図１は、本発明の一実施形態に係る電波予報サービスシステムの概略構成図である。図１において、電波予報サーバ１は、無線通信システムのバックボーンネットワーク２に接続されている。無線通信システムの基地局３はバックボーンネットワーク２に接続されている。移動端末４は基地局３と無線接続する。移動端末４は、無線通信システムのネットワークを介して電波予報サーバ１にアクセスすることができる。
【００１６】
電波予報サーバ１は、電波予報サービスを提供する。基地局３のユーザは、移動端末４により電波予報サーバ１へアクセスして電波予報サービスを受けることができる。電波予報サーバ１は、ユーザの移動端末４から通知された予報対象位置における電波混雑度予報データを当該移動端末４へ提供する。電波混雑度予報データは、予報対象位置において無線通信システムの電波がどの程度使用されて混雑するかを予報するものである。
【００１７】
図２は、図１に示す電波予報サーバ１の構成を示すブロック図である。図２において、電波予報サーバ１は、通信部１１と入力部１２と電波混雑度提供データ生成部１３と電波混雑度予報データベース１４と電波混雑度予報データ算出部１５とを備える。
【００１８】
通信部１１は、バックボーンネットワーク２を介して基地局３とデータを送受する。又、通信部１１は、基地局３に接続されている移動端末４からのアクセスを受け付け、電波予報サービスに係るデータを移動端末４との間で送受する。
【００１９】
入力部１２は、通信部１１が移動端末４から受信した情報を用いて、電波混雑度提供データ生成部１３へ情報を入力する。電波混雑度提供データ生成部１３は、電波混雑度予報データベース１４内の電波混雑度予報データを加工して、移動端末４へ提供する電波混雑度提供データを生成する。このとき、電波混雑度提供データ生成部１３は、入力部１２から入力された情報に応じて、電波混雑度予報データベース１４内の電波混雑度予報データを加工する。電波混雑度提供データ生成部１３は、生成した電波混雑度提供データを通信部１１により移動端末４へ送信する。
【００２０】
電波混雑度予報データベース１４は電波混雑度予報データを格納する。電波混雑度予報データは予報単位区域ごとに存在する。さらに、電波混雑度予報データは予報単位時間の間隔で存在する。これにより、電波混雑度予報データベース１４は、予報単位区域ごとに予報単位時間の間隔で電波混雑度予報データを蓄積している。
【００２１】
電波混雑度予報データ算出部１５は電波混雑度予報データを算出する。基地局３は、定期的に、電波混雑度データを電波予報サーバ１へ送信する。電波混雑度データは電波の使用状況を示すものである。電波混雑度データとしては、例えば、周波数方向と時間方向とから成る電波リソースに関する使用率であって基地局３が測定した測定値である。電波混雑度予報データ算出部１５は、予報単位区域毎に、予報単位時間の間隔で、電波混雑度データを用いて電波混雑度予報データを算出する。予報単位区域および予報単位時間は、予め設定される。電波混雑度予報データの算出方法としては、例えば、過去から現在までの電波混雑度データを用いて回帰式により、未来の電波混雑度データ（電波混雑度予報データ）を推測する。
【００２２】
電波混雑度予報データ算出部１５は、予報単位区域毎に、予報単位時間の間隔で、算出結果の電波混雑度予報データにより電波混雑度予報データベース１４を更新する。電波混雑度予報データベース１４には、一定の期間分の電波混雑度予報データを保持させる。
【００２３】
次に、電波混雑度提供データ生成部１３が行う電波混雑度提供データ生成処理の実施例を説明する。
【実施例１】
【００２４】
実施例１では、移動端末４の現在地から予報対象位置までの距離に応じて、電波混雑度予報データベース１４内の電波混雑度予報データを加工する。
【００２５】
ユーザは移動端末４により予報対象位置及び現在地を示す位置情報を電波予報サーバ１へ送信する。電波予報サーバ１の通信部１１は、移動端末４から受信した予報対象位置及び現在地を示す位置情報を入力部１２へ出力する。
【００２６】
次いで、入力部１２は、通信部１１から入力された位置情報に基づいて、移動端末４の現在地から予報対象位置までの距離Ｄを算出する。次いで、入力部１２は、算出した距離Ｄに基づいて、ユーザが予報対象位置に到着する時刻（この時刻を予報対象時刻Ｔとする）を所定の移動速度から算出する。入力部１２は、算出した距離Ｄ及び予報対象時刻Ｔを電波混雑度提供データ生成部１３へ出力する。
【００２７】
電波混雑度提供データ生成部１３は、入力部１２から入力された距離Ｄ及び単位距離Ｕｄを用いて、次式により重み係数Ａを算出する。単位距離Ｕｄは予め設定される。
Ａ＝Ｄ÷Ｕｄ
【００２８】
次いで、電波混雑度提供データ生成部１３は、次式により、平均区画量Ｅａ及び平均時間量Ｅｔを算出する。
Ｅａ＝Ｕａ×Ａ
Ｅｔ＝Ｕｔ×Ａ
但し、Ｕａは予報単位区域の大きさである。Ｕｔは予報単位時間である。平均区画量Ｅａは、電波混雑度予報データを平均する区域の大きさを示す。平均時間量Ｅｔは、電波混雑度予報データを平均する時間の長さを示す。
【００２９】
平均区画量Ｅａは、予報単位区域を統合する数（予報単位区域の統合数）を表す。ここで、距離Ｄが長いほど重み係数Ａが大きくなって平均区画量Ｅａが大きくなるので、予報単位区域の統合数は多くなる。逆に、距離Ｄが短いほど重み係数Ａが小さくなって平均区画量Ｅａが小さくなるので、予報単位区域の統合数は少なくなる。従って、距離Ｄが長いほど、多数の予報単位区域の電波混雑度予報データが平均化されて粗いデータとなる。逆に、距離Ｄが短いほど、少数の予報単位区域の電波混雑度予報データが平均化されて細かいデータとなる。
【００３０】
平均時間量Ｅｔは、予報単位時間を統合する数（予報単位時間の統合数）を表す。ここで、距離Ｄが長いほど重み係数Ａが大きくなって平均時間量Ｅｔが長くなるので、予報単位時間の統合数は多くなる。逆に、距離Ｄが短いほど重み係数Ａが大きくなって平均時間量Ｅｔが短くなるので、予報単位時間の統合数は少なくなる。従って、距離Ｄが長いほど、多数の予報単位時間の電波混雑度予報データが平均化されて粗いデータとなる。逆に、距離Ｄが短いほど、少数の予報単位時間の電波混雑度予報データが平均化されて細かいデータとなる。
【００３１】
次いで、電波混雑度提供データ生成部１３は、予報対象位置を含む予報データ提供区域内の電波混雑度予報データのうち予報対象時刻Ｔから所定時間Ｒｔ先までの電波混雑度予報データを、電波混雑度予報データベース１４から取得する。予報データ提供区域は、予報対象位置を中心にした所定の大きさ（予報データ提供区域サイズＲａ）を有する区域である。
【００３２】
次いで、電波混雑度提供データ生成部１３は、電波混雑度予報データベース１４から取得した電波混雑度予報データを、平均区画量Ｅａごとに、且つ、平均時間量Ｅｔごとに、平均する。電波混雑度予報データベース１４は、平均された電波混雑度予報データを電波混雑度提供データとして、通信部１１により移動端末４へ送信する。
【００３３】
図３は、電波混雑度提供データの構成例を示す概念図である。図３（Ａ）、（Ｂ）、（Ｃ）には、一平均時間量Ｅｔについて示している。図３（Ａ）、（Ｂ）、（Ｃ）において、１００は予報データ提供区域を示す。図３（Ａ）では、予報データ提供区域１００は予報単位区域１１０に区分けされている。図３（Ｂ）では、予報データ提供区域１００は、平均区画量Ｅａ＿Ｂを有する統合区画１２０に区分けされている。図３（Ｃ）では、予報データ提供区域１００は、平均区画量Ｅａ＿Ｃを有する統合区画１３０に区分けされている。
【００３４】
ここで、図３（Ｂ）の場合の方が図３（Ｃ）の場合よりも距離Ｄが短い。このため、予報単位区域１１０の統合数は図３（Ｂ）の方が図３（Ｃ）よりも少ない。この結果、図３（Ｂ）の方が図３（Ｃ）よりも、細かいデータとなっている。なお、時間方向においても、同様である。
【００３５】
本実施例１によれば、移動端末４の現在地から予報対象位置までの距離が、長いほど電波混雑度提供データは粗く且つデータ量は少なくなり、短いほど電波混雑度提供データは細かく且つデータ量は多くなる。これにより、ユーザに提供する電波混雑度予報データの効率を向上させることができる。
【実施例２】
【００３６】
実施例２では、移動端末４の移動速度に応じて、電波混雑度予報データベース１４内の電波混雑度予報データを加工する。
【００３７】
ユーザは移動端末４により予報対象位置及び現在地を示す位置情報を電波予報サーバ１へ送信する。電波予報サーバ１の通信部１１は、移動端末４から受信した予報対象位置及び現在地を示す位置情報を入力部１２へ出力する。
【００３８】
次いで、入力部１２は、通信部１１から入力された位置情報に基づいて、移動端末４の現在地から予報対象位置までの距離Ｄを算出する。又、入力部１２は、通信部１１から入力された位置情報の時間変化に基づいて、移動端末４の移動速度Ｖを算出する。次いで、入力部１２は、算出した距離Ｄ及び移動速度Ｖに基づいて、ユーザが予報対象位置に到着する時刻（この時刻を予報対象時刻Ｔとする）を算出する。入力部１２は、算出した距離Ｄ、移動速度Ｖ及び予報対象時刻Ｔを電波混雑度提供データ生成部１３へ出力する。
【００３９】
電波混雑度提供データ生成部１３は、入力部１２から入力された距離Ｄ及び移動速度Ｖ、並びに単位距離Ｕｄを用いて、次式により重み係数Ａを算出する。単位距離Ｕｄは予め設定される。
Ａ＝Ｄ÷（Ｕｄ×Ｖ）
【００４０】
これ以降の処理は上述した実施例１と同じである。
【００４１】
本実施例２によれば、移動端末４の移動速度が、遅いほど電波混雑度提供データは粗く且つデータ量は少なくなり、速いほど電波混雑度提供データは細かく且つデータ量は多くなる。これにより、ユーザに提供する電波混雑度予報データの効率を向上させることができる。
【００４２】
上述した実施形態によれば、以下に示す効果が得られる。
（１）ユーザの現在地と予報対象位置までの距離が大きいほど、又は、ユーザが低速移動するほど、場所的および時間的に平均化する範囲を拡大するので、電波混雑度提供データ量を削減することができる。これにより、トラフィックの増大を抑制して、無線通信システムの伝送帯域の逼迫を防ぐ効果が得られる。
【００４３】
（２）ユーザの現在地と予報対象位置までの距離が大きいほど、又は、ユーザが低速移動するほど、場所的および時間的に平均化する範囲を拡大するので、電波混雑度提供データを粗くすることができる。これにより、前もって提供した予報データ（電波混雑度提供データ）とユーザが予報対象位置に到着した時の状況との差を小さくする効果が得られる。
【００４４】
以上、本発明の実施形態について図面を参照して詳述してきたが、具体的な構成はこの実施形態に限られるものではなく、本発明の要旨を逸脱しない範囲の設計変更等も含まれる。
例えば、上述の実施例では、予報単位区域と予報単位時間との両方について平均したが、予報単位区域または予報単位時間のいずれか一方のみについて平均するようにしてもよい。
【００４５】
又、上述の実施例では、電波混雑度予報データを統合する方法として、平均を行ったが、平均以外の統計的手法を用いて統合するようにしてもよい。例えば、平均値と標準偏差とを算出してもよい。又は、最小値と最大値とを算出してもよい。
【００４６】
又、ユーザから通知された予報対象位置と現在地との間にある地点を予報対象位置にして、電波混雑度提供データを生成してもよい。これにより、ユーザの現在地からユーザが通知した予報対象位置までの途中の地点における電波混雑度提供データを、ユーザに提供することができる。
【００４７】
また、図２に示す入力部１２及び電波混雑度提供データ生成部１３の機能を実現するためのプログラムをコンピュータ読み取り可能な記録媒体に記録して、この記録媒体に記録されたプログラムをコンピュータシステムに読み込ませ、実行することにより、電波混雑度提供データ生成処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１…電波予報サーバ、１１…通信部、１２…入力部、１３…電波混雑度提供データ生成部、１４…電波混雑度予報データベース、１５…電波混雑度予報データ算出部
【図１】
2012208581.tif 000003
【図２】
2012208581.tif 000004
【図３】
2012208581.tif 000005